(57)【要約】【課題】  音による報知機能を備えた放射線撮影装置において、報知音による被検者への負担を考慮して、適切な音量で報知を可能にする。【解決手段】  放射線撮影システムは、被写体を透過した放射線を電気信号に変換する放射線検出部と、報知のための音を発する発音部を備えた放射線撮影装置と、撮影条件に関する情報を取得する取得手段と、撮影条件に関する情報に基づいて、発音部から発する音の音量を設定する設定手段を有する。【選択図】  図３
2018082921.tif 000002
【特許請求の範囲】
【請求項１】
被写体を透過した放射線を電気信号に変換する放射線検出部と、報知のための音を発する発音部を備えた放射線撮影装置と、
撮影条件に関する情報を取得する取得手段と、
前記撮影条件に関する情報に基づいて、前記発音部から発する音の音量を設定する設定手段を有することを特徴とする放射線撮影システム。
【請求項２】
前記撮影条件と前記発音部から発する音の音量に関する情報との対応を示す第１の情報が予め記憶されていることを特徴とする請求項１に記載の放射線撮影システム。
【請求項３】
前記設定手段は、前記撮影条件に関する情報に基づいて、前記第１の情報から当該撮影条件に対応する前記音量に関する情報を取得し、
前記設定手段により取得された前記音量に関する情報に基づく音量で、前記発音部から音を発することを特徴とする請求項２に記載の放射線撮影システム。
【請求項４】
前記第１の情報は、前記放射線撮影装置に記憶されていることを特徴とする請求項２または３に記載の放射線撮影システム。
【請求項５】
前記第１の情報を編集するための編集手段を有することを特徴とする請求項２乃至４のいずれか１項に記載の放射線撮影システム。
【請求項６】
前記撮影条件に関する情報は、被写体の撮影部位に関する情報を含むことを特徴とする請求項１に記載の放射線撮影システム。
【請求項７】
前記設定手段は、前記撮影部位が第１の部位である場合、前記撮影部位が当該第１の部位よりも被写体の耳から遠い位置にある第２の部位である場合と比較して、前記発音部から発する音の音量を小さく設定することを特徴とする請求項６に記載の放射線撮影システム。
【請求項８】
前記第１の部位は、被写体の頭部を含む部位であり、前記第２の部位は、被写体の頭部と異なる部位であることを特徴とする請求項７に記載の放射線撮影システム。
【請求項９】
前記撮影条件に関する情報は、さらに前記放射線撮影装置の使用状態に関する情報を含むことを特徴とする請求項６乃至８のいずれか１項に記載の放射線撮影システム。
【請求項１０】
前記設定手段は、前記放射線撮影装置が収納されていない状態で使用される場合、前記放射線撮影装置が収納された状態で使用される場合と比較して、少なくともいずれかの撮影部位に対して、前記発音部から発する音の音量を小さく設定することを特徴とする請求項９に記載の放射線撮影システム。
【請求項１１】
前記放射線撮影装置の使用状態に関する情報は、撮影に用いる前記放射線撮影装置を特定する情報に基づいて決定されることを特徴とする請求項９または１０に記載の放射線撮影システム。
【請求項１２】
前記放射線撮影装置の使用状態に関する情報は、被写体の撮影姿勢に関する情報に基づいて決定されることを特徴とする請求項９乃至１１のいずれか１項に記載の放射線撮影システム。
【請求項１３】
前記撮影条件に関する情報は、被写体の年齢または健康状態に関する情報を含むことを特徴とする請求項６乃至１２のいずれか１項に記載の放射線撮影システム。
【請求項１４】
外部から検査オーダを受け付けるとともに、撮影に関するパラメータを規定する撮影プロトコルが入力される処理装置を有し、
前記取得手段は、前記検査オーダまたは前記撮影プロトコルに基づいて、前記撮影条件に関する情報を取得することを特徴とする請求項１乃至１３のいずれか１項に記載の放射線撮影システム。
【請求項１５】
被写体を透過した放射線を電気信号に変換する放射線検出部と、
報知のための音を発する発音部と、
撮影条件に関する情報を取得する取得手段と、
前記撮影条件に関する情報に基づいて、前記発音部から発する音の音量を設定する設定手段を有することを特徴とする放射線撮影装置。
【請求項１６】
被写体を透過した放射線を電気信号に変換する放射線検出部と、報知のための音を発する発音部を備えた放射線撮影装置の制御方法であって、
撮影条件に関する情報を取得する工程と、
前記撮影条件に関する情報に基づいて、前記発音部から発する音の音量を設定する工程を有することを特徴とする放射線撮影装置の制御方法。
【発明の詳細な説明】
【技術分野】
【０００１】
本発明は、放射線画像を撮影する放射線撮影システムに関する。
【背景技術】
【０００２】
近年、医療画像診断や非破壊検査に用いる放射線画像を撮影する手段として、半導体センサを使用してデジタル画像を取得する放射線撮影装置が知られている。これにより、従来の感光性フィルムによる画像取得と異なり、取得画像を瞬時に確認できるため、作業効率が従来よりも向上している。更に、非常に広いダイナミックレンジを有していることから、放射線露光量の変動に影響されない撮影も可能となっている。
【０００３】
放射線撮影装置において、装置の状態を操作者に対して通知するような報知手段を設ける場合がある。特許文献１では、Ｘ線検出器の駆動状態（蓄積状態とその他の駆動）を光や音で報知することが記載されている。また、特許文献２では、電子カセッテにスピーカを備え、撮影室内の大凡の位置を報せるための音声を出力することが記載されている。
【先行技術文献】
【特許文献】
【０００４】
【特許文献１】特開２００５−０１３２７２号公報
【特許文献２】特開２０１２−１００９６２号公報
【発明の概要】
【発明が解決しようとする課題】
【０００５】
上述のような音による報知は、操作者に向けて報知されることで機能を果たしている。種々の撮影の場面においては、操作者が放射線撮影装置の近傍にいるとは限らず、比較的距離が離れたところや、被検者がいる空間に対して仕切られた部屋（例えばコンソールルーム）にいる場合がある。特許文献２のように放射線撮影装置にスピーカを備える場合、報知音を操作者の耳に届きやすくするには、ある程度大きな音量で報知するのが望ましい。
【０００６】
しかしながら、撮影時の条件によっては、放射線撮影装置から大きな音が発せられることで、装置の近くにいる被検者が不快に感じたり、被検者の耳に健康上の負担を負わせたりするおそれがある。
【０００７】
そこで本発明は、音による報知機能を備えた放射線撮影装置において、報知音による被検者への負担を考慮して、適切な音量で報知を可能にすることを目的とする。
【課題を解決するための手段】
【０００８】
上記目的を達成するために、本発明に係る放射線撮影システムは、被写体を透過した放射線を電気信号に変換する放射線検出部と、報知のための音を発する発音部を備えた放射線撮影装置と、撮影条件に関する情報を取得する取得手段と、前記撮影条件に関する情報に基づいて、前記発音部から発する音の音量を設定する設定手段を有することを特徴とする。
【発明の効果】
【０００９】
本発明によれば、音による報知機能を備えた放射線撮影装置において、報知音による被検者への負担を考慮して、適切な音量で報知が可能となる。
【図面の簡単な説明】
【００１０】
【図１】本実施形態における放射線撮影システムの概略を示す構成図
【図２】本実施形態における検出器ユニットの概略を示す構成図
【図３】第１の実施形態におけるルックアップテーブルの一例
【図４】本実施形態における撮影動作の流れを示すフローチャート
【図５】放射線照射検知機能を用いた場合の撮影動作の流れを示すフローチャート
【図６】第２の実施形態におけるルックアップテーブルの一例
【発明を実施するための形態】
【００１１】
以下、本発明の実施形態について、添付の図面を参照して具体的に説明する。なお、本明細書では、放射線としてＸ線を例に説明するが、α線、β線、γ線、粒子線、宇宙線なども、放射線に含まれるものとする。
【００１２】
［第１の実施形態］
図１は、医療画像診断で用いられる放射線撮影システムの一例を示す概略構成図である。放射線撮影システム１００は、複数の検査情報を含む検査オーダに基づいて検査（放射線画像撮影）を行う。検査情報には、撮影プロトコルを決めるための情報が含まれ、撮影プロトコルのそれぞれは、撮影時又は画像処理時等に用いられるパラメータ情報又は撮影実施情報、並びに、例えば撮影装置の種類、撮影姿勢、撮影部位のような撮影環境情報を規定する。また、検査情報には、検査ＩＤ及び受付番号等の、検査オーダを特定する、又は検査オーダに従う撮影画像を特定する情報が含まれる。本実施形態における撮影情報は、検査オーダに含まれる情報、撮影プロトコルに含まれる情報、およびそれに基づく情報の少なくともいずれかである。また、撮影情報に含まれる特定の情報のことを、撮影条件に関する情報と呼ぶ。本実施形態では、被写体の撮影部位に関する情報を撮影条件に関する情報の例として説明する。
【００１３】
図１における外枠で囲われた部分が放射線撮影室（検査室）を示している。放射線撮影室において、放射線撮影システム１００に含まれる各要素は、機能に応じて室内の各所に配置されている。また、各要素は、有線通信または無線通信により各々が接続され、関連付けられながら構成されている。
【００１４】
放射線撮影システム１００は、放射線発生部１０１と放射線撮影装置を備える。放射線発生部１０１は、本実施形態ではＸ線管球であり、位置や向き、姿勢を変えられる機構を備え、被写体Ｓ（被検者）に向けて放射線（ここではＸ線）を照射する。放射線発生制御部（不図示）は、撮影プロトコルに基づいて放射線の発生を制御する。具体的には、放射線発生制御部は、撮影プロトコルに対応する管電流、管電圧、照射時間等のパラメータに従って、放射線発生部１０１に電圧を印加して放射線を発生させる。
【００１５】
検出器ユニット１、２、３は、放射線撮影装置として機能する。検出器ユニットは、被写体Ｓを透過した放射線を透過放射線量に相当する電荷として検出し、その電荷量を元に撮影画像（画像データ）を生成して出力する。図１では、１つの放射線撮影室に３体の検出器ユニットが備えられている例を示しているが、検出器ユニットの構成数は用途や使い勝手に応じて変更可能である。
【００１６】
立位撮影装置１０は、主に被写体Ｓの立位を撮影する場合に用いられる。検出器ユニット１の放射線受像面が垂直になるように配置し、Ｘ線を略水平方向に発射して撮影が行われる。立位撮影装置１０は、支柱１１、検出器ユニット収納部１２、検出器ユニット支持部１３、立位撮影装置制御部１４、接続ケーブル１５を用いて構成される。立位撮影装置制御部１４は、撮影部位や被写体Ｓの体格に応じて検出器ユニット１を支持する高さを調整するなどの制御を行う。また、立位撮影装置制御部１４は、検出器ユニット１と接続されて、検出器ユニット１と後述する処理部１２０との通信を仲介してもよい。接続ケーブル１５は、検出器ユニット１や立位撮影装置制御部１４を、システム内の他の要素へ電気的に接続するインターフェイスである。
【００１７】
臥位撮影装置２０は、主に被写体Ｓの臥位を撮影する場合に用いられる。検出器ユニット２の放射線受像面が水平になるように配置し、Ｘ線を略垂直方向に発射して撮影が行われる。臥位撮影装置２０は、天板２１、検出器ユニット収納部２２、台座２３、臥位撮影装置制御部２４、接続ケーブル２５を用いて構成される。臥位撮影装置制御部２４は、撮影部位や被写体Ｓの体格に応じて天板２１の高さや位置を調整するなどの制御を行う。また、臥位撮影装置制御部２４は、検出器ユニット２と接続されて、検出器ユニット２と後述する処理部１２０との通信を仲介してもよい。接続ケーブル２５は、検出器ユニット２や臥位撮影装置制御部２４を、システム内の他の要素へ電気的に接続するインターフェイスである。
【００１８】
検出器ユニット３は、固定具に捉われない自由な姿勢で配置して撮影する場合の運用例を説明するために示している。放射線発生部１０１との位置関係が許す範囲で、被写体Ｓと検出器ユニット３を自由に配置して撮影を行うことができる。検出器ユニット３は、電気的な接続ケーブル（不図示）を用いて有線通信で処理部１２０などと接続してもよいが、後述するように無線通信機能を用いることで利便性を高めることができる。
【００１９】
システムを操作するためのコンソールＣは、被写体Ｓの撮影を行う空間と壁で仕切られたコンソールルームとして構成される場合が多い。コンソールＣは、処理部１２０、表示部１２１、操作部１２２を備えて構成される。処理部１２０は、例えばコンピュータの一種であり、上述した放射線発生制御部や、放射線撮影を制御する放射線撮影制御部と連携し、撮影プロトコルに基づく各種動作の制御や信号処理、画像処理を行う。なお、処理部１２０が放射線発生制御部や放射線撮影制御部の機能を備えてもよい。処理部１２０は、立位撮影装置１０、臥位撮影装置２０とそれぞれ接続ケーブル１５、２５で電気的に接続されている。また、処理部１２０は、無線通信機能を持つ中継機器（不図示）と組み合わせて、検出器ユニットとの無線通信を行うこともできる。
【００２０】
また、コンソールＣは、放射線撮影システム外のネットワーク（院内ネットワークなど）と接続されて、検査オーダや撮影（検査）結果を送受信するよう構成されている。処理部１２０は、例えば、外部からの検査オーダや撮影プロトコルについて、データ処理を行ったり、放射線発生制御部や放射線撮影制御部に送信したりすることができる。表示部１２１は、操作者（撮影技師）に対してシステム状態等の情報を表示する。表示部１２１は、例えばコンピュータディスプレイであり、例えば、外部から受信した検査オーダ、又は放射線撮影システム１００の検査オーダを表示することができる。操作部１２２は、操作者からの指示を受け付ける。操作部１２２は、例えばキーボード、マウス又は各種のボタン等である。操作者は、操作部１２２を介して、検査オーダに基づいて撮影プロトコルを入力したり、検出器ユニットに対して動作指示を入力したりすることができる。
【００２１】
続いて、放射線撮影システム１００による、被写体Ｓの放射線撮影の流れについて説明する。被写体Ｓの放射線撮影を実施するにあたって、操作者は、検出器ユニットを、放射線発生部１０１から照射され被写体Ｓを透過した放射線が照射される位置に配置する。次に、操作者は、検出器ユニットを起動した後、コンソールＣの操作部１２２を操作して検出器ユニットを撮影可能な状態にする。続いて操作者は、操作部１２２を操作して照射する放射線の照射条件を設定する。以上の操作の終了後、操作者は、被写体Ｓを含めた各撮影準備が整ったことを確認し、操作部１２２に備えられた曝射スイッチを押下し、放射線発生制御部に放射線の曝射を指示する。
【００２２】
放射線の曝射の指示を受け付けた放射線発生制御部は、これから放射線が照射される旨の信号を検出器ユニットへと通知する。なお、検出器ユニット自身が放射線の照射を検出する機能を備える場合には、放射線発生制御部から検出器ユニットへの照射の通知は不要である。
【００２３】
検出器ユニットに放射線発生制御部から放射線を照射する旨の信号が届くと、検出器ユニットは自らの状態が放射線照射に対する準備が整っているかを確認し、問題が無ければ照射許可を放射線発生制御部へ返答する。放射線発生制御部は、検出器ユニットから照射許可を受信すると、放射線発生部１０１を駆動し、放射線を照射させる。検出器ユニットは、放射線照射終了を検知すると、被写体Ｓを透過した放射線を透過放射線量に相当する電荷として検出して放射線画像の生成を開始し、生成された放射線画像をコンソールＣに送信する。なお、放射線照射終了は、放射線発生制御部からの通知、あるいは事前に取り決められた照射時間の経過の検出など、各種方法で検知され得る。処理部１２０は、検出器ユニットから受信した放射線画像を記憶媒体に記憶したり、表示部１２１に表示したりする。
【００２４】
続いて、図２を用いて、本実施形態における検出器ユニットの構成について説明する。図２は、検出器ユニット２００の各機能を示すブロック図である。なお、検出器ユニット２００は、図１における検出器ユニット１、２、３に対応する。
【００２５】
検出器ユニット２００は、操作者が取り扱いしやすいように、各機能要素を筺体に収納している。放射線検出部としての放射線検出センサ２０１は、被写体Ｓを透過した放射線を電荷に変換し、透過放射線量に相当する電荷に応じた電気信号を出力する。電気回路部２０２は、放射線検出センサ２０１から出力された電気信号を取り込んで転送や後処理に都合の良いように信号処理を行う機能、放射線検出センサ２０１を駆動するための電源を供給する機能などを有する。また、電気回路部２０２は、外部との通信や各部の動作を制御する制御部としての機能を有し、通信により他の機器へ画像を送信したり、外部装置から指示を受信したり、操作者の操作に応じて検出器ユニット２００の起動／停止の切り替え等を実施する。
【００２６】
また、前述したように検出器ユニット２００自身が放射線の照射を検出する機能（放射線照射検知機能）を備えてもよい。放射線照射検知機能の実現には様々な方法があるが、一例として、放射線照射されることで放射線検出センサ２０１に生じる放射線照射信号の信号量に基づいて、電気回路部２０２が放射線検知を判断してもよい。
【００２７】
バッテリ部２０３は、放射線検出センサ２０１をはじめとする検出器ユニット２００内の各部を駆動するための電源になる要素であり、電気回路部２０２と接続されてこれに電力を供給する。なお、バッテリ部２０３は、検出器ユニットの放射線受像面と異なる面（例えば背面）に着脱可能に装着されるようにしてもよい。有線接続インターフェイス２０４は、必要に応じて有線通信手段２１０と接続され、電気回路部２０２から外部への電気信号の授受機能を担う。有線接続インターフェイス２０４が電源供給の機能を受け持つ場合もある。無線通信部２０５は、放射線撮影システム１００が無線通信ネットワーク環境下にある場合に、電気回路部２０２と検出器ユニット２００外との無線通信を行う。これにより、有線通信と無線通信のうち、都合に合わせて通信形態を選ぶことができる。
【００２８】
表示部２０６は、ＬＥＤやその他のディスプレイを用いて構成され、装置から操作者への報知を視覚的に表示する手段である。また、表示部を視認することが困難な際にも状態認識が出来るように、音によって状態を報知するスピーカ部２０７を備える。表示部を視認することが困難なケースとしては、たとえば検出器ユニット２００がベッドと被検者の間に配置されるケース（検出器ユニット３使用の一例）や、カバー付きの検出器ユニット収納部に囲われて使用されているケース（検出器ユニット１、２使用）がある。なお、表示部２０６とスピーカ部２０７は、筺体において放射線受像面と異なる面、例えば筺体の側面に配置されている。
【００２９】
スピーカ部２０７（発音部）は、検出器ユニット２００の状態変化を通知する手段として用いられ、例えば前述の放射線照射検知機能において、放射線照射が検知された際に通知音で報知してもよい。また、予め決められた照射時間が経過したことや、バッテリ残量が少なくなったことなどを音で報知してもよい。
【００３０】
音量制御部２０８は、スピーカ部２０７から発生される音の音量を制御する。音量については、標準の音量レベルが設定されてあって、自動あるいは手動で音量の大小が調整可能である。自動で調整を行う場合は、電気回路部２０２により、各種情報に基づいて音量（音量レベル）が設定される。ここでの音量の設定とは、スピーカ部２０７が発する音の音量の決定に係るパラメータの設定を含むものとする。手動で調整を行う場合は、コンソールＣにおける操作部１２２からの入力に基づいて、処理部１２０により音量が設定される。標準の音量レベル、調整後の音量レベルは、必要に応じて保存される。記憶部２０９は、検出器ユニット２００の制御に用いる各種パラメータを電子データとして記憶する。例えば、スピーカ部２０７の音量レベルに関するパラメータを記憶してもよい。
【００３１】
なお、放射線撮影制御部やコンソールＣの処理部１２０が音量を設定してもよい。コンソールＣにおいて音量が設定される場合、設定された音量の情報が、有線通信または無線通信により電気回路部２０２を介して音量制御部２０８に通知され、当該情報に基づいて音量制御部２０８が音量を制御する。なお、音量の設定に係る処理を、電気回路部２０２と音量制御部２０８、あるいは別の制御部（例えばコンソールＣ内の処理部１２０）で分担してもよいし、１つの制御部で処理するようにしてもよい。また、各制御部の具体的な実装についても、ＣＰＵ、ＭＰＵ、ＦＰＧＡ、ＣＰＬＤ等を用いることができ、特に制限は無い。
【００３２】
前述したように、操作者が検出器ユニット２００の近傍にいるとは限らないため、報知音が操作者の耳に確実に届くようにするには、ある程度大きな音量で報知する必要がある。一方で、例えば頭部近傍を撮影する場合など、被検者の耳の近くに検出器ユニット２００を設置して撮影する場合、大きな音が被検者の負担になるおそれがある。そこで、被検者の負担を考慮して操作者が手動で音量を調整することが想定されるが、撮影条件が変わるたびに手動で音量を調整するのは操作者にとって非常に手間がかかる。
【００３３】
そこで、本実施形態では、撮影プロトコルなどの撮影情報に基づいて取得される撮影条件に関する情報に応じて、自動で報知音の音量を設定する。以下で、具体的な構成について説明する。
【００３４】
本実施形態における検出器ユニット２００の撮影時の動作について説明する。まず、放射線撮影のきっかけとなる検査オーダの入力に応じて、自動、あるいは手動により撮影プロトコルが決定される。この撮影プロトコルは、立位撮影装置１０を使用するか、臥位撮影装置２０を使用するか、自由な姿勢の検出器ユニット３を使用するか等の情報を含む。また、撮影プロトコルに含まれる情報には、撮影部位の情報も含まれる。撮影部位の例としては、頭部、首／肩、胸部、脊椎、腕、腹部、腰椎、下半身などがある。
【００３５】
図３は、撮影条件と音量を決定するためのパラメータ（以下、音量パラメータ）に関するルックアップテーブルの一例を示している。ルックアップテーブルは、記憶部２０９に記憶されている。放射線撮影制御部やコンソールＣの内部に記憶されていても良いが、検出器ユニット２００の記憶部２０９に記憶されていることで、通信が途切れてしまった場合でも検出器ユニット２００内でルックアップテーブルを読み出せる点でメリットがある。
【００３６】
図３において、左列は撮影条件の一例としての撮影部位を示し、右列は音量パラメータを示している。ここでは、音量パラメータの値の大小と、結果的にスピーカ部２０７から発音される音の音量の大小が対応している。音量制御部２０８は、音量パラメータの値に基づいて、スピーカ部２０７から発音される音の音量を制御する。図３に示すように、本実施形態では、撮影部位と被写体Ｓ（被検者）の耳との距離が近いほど、音量パラメータが小さくなるように、すなわちスピーカ部２０７からの音量が小さくなるように設定される。例えば、耳に近い頭部を撮影する際には、胸部や腹部などを撮影する際よりも音量が小さくなるように設定されることで、被検者の負担を軽減させることができる。
【００３７】
なお、図３に示す表は一例であり、撮影部位の選択肢の数や各パラメータの値などはこれに限定されるものではない。少なくとも、撮影部位Ａと撮影部位Ｂが選択可能な場合に、撮影部位Ａのほうが耳に近いとすると、撮影部位Ａを撮影するときに設定される音量が、撮影部位Ｂを撮影するときに設定される音量よりも小さいという関係が成り立てばよい。
【００３８】
次に、図４のフローチャートを用いて撮影動作の流れを説明する。以下では、電気回路部２０２によりスピーカ部２０７の音量が設定される場合について説明する。放射線撮影システム１００が検査オーダの入力を受けると、図４の撮影フローが開始される。ステップＳ４０１において、電気回路部２０２は、コンソールＣより通知された撮影プロトコルの情報から撮影情報を取得する。
【００３９】
次に、ステップＳ４０２において、電気回路部２０２は、取得した撮影部位の情報を、記憶部２０９に記憶されているルックアップテーブルと照会する。そして、ステップＳ４０５において、電気回路部２０２は、撮影部位に対応する音量パラメータの情報を取得することで、スピーカ部２０７の音量レベルを設定する。取得された音量パラメータの情報は、音量制御部２０８に送信される。なお、コンソールＣ内にルックアップテーブルを記憶しておき、コンソールＣ（例えば処理部１２０）が音量を設定してもよい。この場合、撮影部位に対応する音量パラメータの情報がコンソールＣから電気回路部２０２に送信されるものとする。また、コンソールＣは、入力された検査オーダに含まれる検査情報に基づいて、撮影部位に対応する音量パラメータの情報を取得してもよい。
【００４０】
以上の動作を撮影開始前に完了する。ステップＳ４０３で音量レベルが設定されると、ステップＳ４０４で発音要求の割り込みが許可される。これにより、発音の実行を要求する割り込み信号が発生した場合に、音量制御部２０８は、ステップＳ４０３で設定された音量レベルに従って、スピーカ部２０７から音を発生させるよう制御する。
【００４１】
ステップＳ４０５では、操作者の操作に応じて、放射線の照射が行われ、撮影が実行される。ステップＳ４０６において、ステップＳ４０１で取得された撮影情報に基づく撮影条件（例えば撮影部位）の撮影が完了すると、フローが終了する。なお、前述した処理により自動で音量レベルが設定された場合でも、操作者が手動で音量レベルを微調整することが可能な構成としてもよい。
【００４２】
次に、放射線照射検知機能を用いて放射線撮影を行う場合の撮影動作の流れについて、図５のフローチャートを用いて説明する。ステップＳ５０３までの処理は、図４のステップＳ４０３までの処理と同様である。図５では、ステップＳ５０３までの処理を、放射線照射検知の開始までに行うこととする。例えば、操作者によって放射線照射検知を行うモードへの移行が指示されたときに音量レベルの設定を行ってもよい。
【００４３】
ステップＳ５０４において、電気回路部２０２は、操作者による操作部１２２の入力に応じて、放射線照射検知を開始する。なお、開始に先立ち、必要な機能部への通電や起動などが行われるものとする。ここで、放射線照射検知の開始をスピーカ部２０７からの音により報知してもよい。放射線照射検知が開始されると、検出器ユニット２００が放射線の検知待ち状態となる。
【００４４】
ステップＳ５０５において、電気回路部２０２は、放射線照射が検知されたか否かを判定する。放射線照射が検知された場合はステップＳ５０６に進み、検知されない場合はステップＳ５０９に進む。
【００４５】
ステップＳ５０９において、電気回路部２０２は、放射線照射検知を開始してから所定の時間が経過したか否か、すなわち、検知時間がタイムアウトになったか否かを判定する。この検知時間タイムアウトは、放射線照射がないまま放置されてしまった場合に備え、放射線照射検知を終了するために設けられている。検知時間がタイムアウトになった場合はステップＳ５１０に進み、タイムアウトになっていない場合はステップＳ５０５に戻って放射線照射の検知を継続する。
【００４６】
ステップＳ５１０において、電気回路部２０２は、ステップＳ５０３で設定された音量レベルに従ってスピーカ部２０７に音を発生させ、タイムアウトを報知するとともに、放射線照射の検知を終了する。なお、図５では検知時間がタイムアウトになった場合に音で報知しているが、タイムアウトまでの残り時間が所定時間に達した場合に音で報知してもよい。
【００４７】
一方、ステップＳ５０５で放射線照射が検知された場合、ステップＳ５０６において、電気回路部２０２は、ステップＳ５０３で設定された音量レベルに従ってスピーカ部２０７に音を発生させ、放射線照射の検知を報知するとともに、放射線照射の検知を終了する。
ステップＳ５０７では、撮影が実行される。ステップＳ５０８において、ステップＳ５０１で取得された撮影情報に基づく撮影条件（例えば撮影部位）の撮影が完了すると、フローが終了する。
【００４８】
以上説明したように、本実施形態では、音による報知が可能な放射線撮影装置において、撮影条件に関する情報に基づいて音量が設定される。具体的には、例えば頭部撮影のように撮影部位が被検者の耳に近い撮影条件であれば、他の部位を撮影するときよりも音量が小さくなるように設定される。これにより、報知音による被検者への負担を軽減することができる。このように、可能な限り操作者への確実な報知を優先しつつ、報知音による被検者への負担が大きくなる撮影条件においては被検者の負担軽減を優先して音量が設定されるため、操作者の手間を増やすことなく、撮影条件に応じた適切な音量で報知が可能となる。
【００４９】
［第２の実施形態］
本実施形態では、撮影条件に関する情報に基づいて報知音の音量を設定する際に、撮影条件として撮影部位以外の情報も用いる。以下では、第１の実施形態と異なる構成を中心に説明し、第１の実施形態と同様の構成については詳細な説明を省略する。
【００５０】
検出器ユニットの使用状態としては、例えば、図１の検出器ユニット３のように裸状態で使用する場合と、収納部に収納された状態（以下、収納状態）で使用する場合とがある。立位撮影装置１０や臥位撮影装置２０を使用する場合、検出器ユニット１、２は、それぞれカバー付きの検出器ユニット収納部（以下、収納部）１２、２２の内部に収納された状態で使用される。収納状態においては、検出器ユニットを裸状態で使用する場合と比較して、収納状態で使用する場合のほうが被検者の耳へ音が届きにくい。そのため、検出器ユニットが収納部に納められて使用される立位撮影装置１０、臥位撮影装置２０を用いる場合を考慮し、検出器ユニットの使用状態に応じて音量制御を設定することが好ましい。
【００５１】
図６は、撮影条件と音量パラメータに関するルックアップテーブルの一例を示している。本実施形態では、図４のステップＳ４０２や図５のステップＳ５０２において、図６のルックアップテーブルを参照することで、撮影条件に基づいてスピーカ部２０７の音量が設定される。
【００５２】
図６では、図３と同様に、左列は撮影条件の一例としての撮影部位を示し、表中の値は音量レベルの設定に用いられる音量パラメータを示している。図６のルックアップテーブルを用いた場合、撮影部位のみでなく、検出器ユニットの使用状態（ここではＰ０、Ｐ１、Ｐ２の３つのパラメータから選択）も加味して音量パラメータが決定される。使用状態のパラメータＰ０、Ｐ１、Ｐ２のうち、Ｐ０は検出器ユニット３のように裸状態で使用される場合、Ｐ１とＰ２は検出器ユニットが収納状態で使用される場合に選択される。いずれの使用状態においても、第１の実施形態と同様に、被検者の耳に近いほど小さな音量パラメータが設定されている。
【００５３】
図６の例では、Ｐ０において図３と同様の音量パラメータの値が設定され、Ｐ１とＰ２ではより大きな音量パラメータの値が設定されている。すなわち、同じ撮影部位であっても、検出器ユニットが裸状態で使用される場合は、収納状態で使用される場合よりも小さな音量が設定される。なお、Ｐ１とＰ２のうち、より音が届きやすい状態をＰ１とすると、対応する撮影部位での音量パラメータを比較した場合に、Ｐ２よりもＰ１のほうが音量パラメータの値が小さく設定されている。但し、全ての撮影部位においてＰ０＜Ｐ１＜Ｐ２のような音量の大小関係が成り立つ必要はなく、例えば下半身のように耳から十分に遠い撮影部位の場合は、Ｐ０やＰ１についても、Ｐ２と同じ音量パラメータを設定してもよい。Ｐ１とＰ２のどちらが選択されるかは、使用する立位撮影装置１０や臥位撮影装置２０などの撮影装置に応じて、例えば収納部のカバーの厚みや開口部の数と大きさの少なくともいずれかに応じて決定されてもよい。なお、図６に示す表は一例であり、撮影部位および使用状態のパラメータの数や各パラメータの値などはこれに限定されるものではない。
【００５４】
使用状態のパラメータＰ０、Ｐ１、Ｐ２の中からどれを選択するかは、撮影プロトコルに含まれている情報に基づいて決定してもよい。例えば、検出器ユニットごとに使われ方や収納されている状態が固定されているならば、撮影に用いる検出器ユニットを特定する情報に応じてパラメータを選択してもよい。また、立位撮影であるか、臥位撮影であるか、検出器ユニットを自由な姿勢で使う撮影であるかなどの被写体の撮影姿勢に関する情報に応じてパラメータを選択してもよい。
【００５５】
また、図６のルックアップテーブルでは、表中の全てのマスについてあらかじめ音量パラメータの値がプリセットされているが、別の方法で音量パラメータを決定してもよい。例えば、Ｐ０についてのみ音量パラメータの値をプリセットしておき、Ｐ１やＰ２については計算により音量パラメータの値を決定してもよい。この場合、設定されている撮影部位に対応するＰ０の音量パラメータの値に基づいて、例えばＰ１＝Ｐ０＋ｎのような数式でＰ１やＰ２の音量パラメータを決定してもよい。図６の例では、音量パラメータの最大値が５となっているが、このような最大値や最小値などを決める条件式が同時に設定されていてもよい。
【００５６】
これらの音量パラメータや数式について、装置の使用状況から実験やシミュレーションにより適切なものを決定することとする。または、実際の放射線撮影室の環境においてトライアルを行ってパラメータ等を選定し、装置を設置するスタッフ、または操作者がシステムに登録してもよい。一例として、ルックアップテーブルの表中の値、またはＰ０に続く新たな使用状況のパラメータの列を作成可能にするなど編集機能を備えることで、さらに都合に応じて適切にパラメータを調整することが可能になる。
【００５７】
また、検出器ユニットの使用状態以外の条件に応じて音量パラメータを設定してもよい。例えば、被検者の年齢や健康状態などの条件と、耳による音の聞こえ易さの関係を特定できるならば、被検者の上記条件を撮影条件のパラメータとして、音量パラメータのルックアップテーブルを用意してもよい。この場合、撮影プロトコルから被検者の上記条件に関する情報を取得し、ルックアップテーブルに照会して音量レベルが設定される。
【００５８】
以上説明したように、本実施形態では、音による報知が可能な放射線撮影装置において、撮影部位のみでなく、他の撮影条件に関する情報に基づいて自動で音量が設定される。具体的には、例えば放射線撮影装置を収納部に収納した状態で使用する撮影条件の場合は、裸状態で使用する場合よりも音量が大きくなるように設定される。このように撮影部位以外の情報も考慮して音量を設定することで、必要以上に音量が小さくなるのを防ぐことができるため、より適切な音量で操作者への報知が可能となる。
【００５９】
以上のように、本発明の好ましい実施形態について説明したが、本発明はこれらの実施形態に限定されず、その要旨の範囲内で種々の変形および変更が可能である。
【００６０】
［他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６１】
１、２、３、２００  検出器ユニット
１２０  処理部
２０１  放射線検出センサ
２０２  電気回路部
２０７  スピーカ部
２０８  音量制御部
２０９  記憶部
【図１】
2018082921.tif 000003
【図２】
2018082921.tif 000004
【図３】
2018082921.tif 000005
【図４】
2018082921.tif 000006
【図５】
2018082921.tif 000007
【図６】
2018082921.tif 000008